(57)【要約】【課題】軽量且つコンパクトで、端末機の画面を確実に保護することができる端末機用ケースを提供する。【解決手段】ケース本体１０に画面Ｐ１が表出する開口部１１を形成する。ケース本体１０から端末機Ｐの画面Ｐ１上に重ねる板状の蓋体２０を設ける。ケース本体１０の開口部１１周囲縁に板状の金属環体１２を配置する。金属環体１２上に重なる蓋体２０に磁石２１を配置する。端末機用ケースを、皮革材又は合成樹脂材にて形成する。ケース本体１０の開口部１１周囲縁を形成する材質の内部に金属環体１２を埋設する。蓋体２０を形成する材質の内部に磁石２１を埋設する。【選択図】  図１
0003186374.tif 000002
【実用新案登録請求の範囲】
【請求項１】
携帯用の端末機を収納する端末機用ケースにおいて、端末機を収納し、端末機の画面が表出する開口部を備えたケース本体と、このケース本体から延長されて端末機の画面上に開閉自在に重ねる板状の蓋体とを備え、ケース本体の開口部周囲縁に板状の金属環体を配置し、該金属環体上に重なる蓋体の一部に蓋体を施蓋状態に固定する磁石を配置したことを特徴とする端末機用ケース。
【請求項２】
前記端末機用ケースは、皮革材又は合成樹脂材にて形成され、前記金属環体は、前記ケース本体の開口部周囲縁を形成する材質の内部に埋設され、前記磁石は、前記蓋体を形成する材質の内部に埋設された請求項１記載の端末機用ケース。
【請求項３】
前記蓋体は前記ケース本体の左右側縁のいずれか一方又は前記ケース本体の上下側縁のいずれか一方から延長された矩形状を成し、前記磁石は、前記蓋体の周囲縁に一箇所又は複数個所配置された請求項１又は２記載の端末機用ケース。
【考案の詳細な説明】
【技術分野】
【０００１】
本考案は、スマートフォンやタブレット等の携帯用の端末機を収納する端末機用ケースに係り、特に軽量で操作画面の保護に適する端末機用ケースに関する。
【背景技術】
【０００２】
従来、携帯用の端末機を収納するケースとして特許文献１や特許文献２に記載のケースが提案されている。
【０００３】
特許文献１に記載のケースは、ケース本体とケース蓋体の双方にアルミニウム板を使用するもので、アルミニウム板の外側面に皮革製シート材を接着した接着体にてケースを構成している。
【０００４】
特許文献２に記載のケースは、ケースに備わる磁石の磁着作用によって蓋体を開閉するように構成したものである。そのため、閉蓋時に互いに係合する収容体の係合部と蓋体の係合部とを、互いに略面接可能にし、収容体係合部と蓋体係合部の少なくとも一方に磁石を配設すると共に、磁石の配設されない方には磁着性の金属板を配設したものである。
【先行技術文献】
【特許文献】
【０００５】
【特許文献１】特開２００８‐４３４２４号公報
【特許文献２】実用新案登録第３１１２０８８号公報
【考案の概要】
【考案が解決しようとする課題】
【０００６】
ところが特許文献１のごとく、ケース本体及びケース蓋の双方を、アルミニウム板にて構成すると、ケースの重量が重くなるので、携帯時に不便が生じる。しかも、蓋体を施蓋する際に、端末機の画面側の一部に配設された上側板部の上に重ねる構成であるから、特許文献１のケースでは、施蓋時に、蓋体と画面とに隙間が生じるものであった。その結果、端末機の画面を十分に保護することは困難であった。
【０００７】
一方、携帯用端末機は、できるだけコンパクトに携帯することが望ましい。ところが、特許文献２のように、閉蓋時に互いに係合する収容体の係合部と蓋体の係合部とを、互いに略面接可能にする構成では、蓋体から延長された蓋体係合部をケースの側面に重合する構成なので、この蓋体係合部の部位が携帯時に嵩張る不都合が生じるものであった。
【０００８】
そこで、本考案は上述の課題を解消すべく案出されたもので、軽量且つコンパクトでありながら、端末機の画面を確実に保護することができる端末機用ケースの提供を目的とするものである。
【課題を解決するための手段】
【０００９】
上述の目的を達成すべく本考案における第１の手段は、携帯用の端末機Ｐを収納する端末機用ケースにおいて、端末機Ｐを収納し、端末機Ｐの画面Ｐ１が表出する開口部１１を備えたケース本体１０と、このケース本体１０から延長されて端末機Ｐの画面Ｐ１上に開閉自在に重ねる板状の蓋体２０とを備え、ケース本体１０の開口部１１周囲縁に板状の金属環体１２を配置し、該金属環体１２上に重なる蓋体２０の一部に蓋体２０を施蓋状態に固定する磁石２１を配置したことにある。
【００１０】
第２の手段において、前記端末機用ケースは、皮革材又は合成樹脂材にて形成され、前記金属環体１２は、前記ケース本体１０の開口部１１周囲縁を形成する材質の内部に埋設され、前記磁石２１は、前記蓋体２０を形成する材質の内部に埋設されたものである。
【００１１】
第３の手段の前記蓋体２０は前記ケース本体１０の左右側縁のいずれか一方又は前記ケース本体１０の上下側縁のいずれか一方から延長された矩形状を成し、前記磁石２１は、前記蓋体２０の周囲縁に一箇所又は複数個所配置されたものである。
【考案の効果】
【００１２】
本考案の請求項１によると、ケース本体１０の開口部１１周囲縁に板状の金属環体１２を配置し、該金属環体１２上に重なる蓋体２０の一部に蓋体２０を施蓋状態に固定する磁石２１を配置したことにより、端末機Ｐの画面Ｐ１は、蓋体２０によって確実に保護される状態になる。
【００１３】
すなわち、端末機Ｐの画面Ｐ１の周囲は、ケース本体１０の開口部１１に配置した金属環体１２により、強固に保護されており、この金属環体１２に蓋体２０を重ねて施蓋するので、特許文献１のような蓋体と画面との間に隙間が生じることがなく、端末機Ｐの画面Ｐ１を十分に保護することができるものである。
【００１４】
しかも、蓋体２０は、画面Ｐ１上に重ねるだけの構成であるから、特許文献２のような嵩張りは生じず、コンパクトなケースを提供できる。
【００１５】
請求項２のように、前記端末機用ケースは、皮革材又は合成樹脂材にて形成され、前記金属環体１２は、前記ケース本体１０の開口部１１周囲縁を形成する材質の内部に埋設され、前記磁石２１は、前記蓋体２０を形成する材質の内部に埋設されることで、軽量でコンパクトな使用を実現した。
【００１６】
請求項３によると、前記蓋体２０は前記ケース本体１０の左右側縁のいずれか一方又は前記ケース本体１０の上下側縁のいずれか一方から延長された矩形状を成し、前記磁石２１は、前記蓋体２０の周囲縁に一箇所又は複数個所配置されるように構成することで、スマートフォンやタブレット等の各種サイズや形状、種類等に対応した装着が可能になるものである。
【図面の簡単な説明】
【００１７】
【図１】本考案の使用状態を示す一部切欠斜視図である。
【図２】本考案の蓋体を閉じた状態を示す側面図である。
【図３】本考案の蓋体を開いた状態を示す底面図である。
【考案を実施するための形態】
【００１８】
本考案によると、軽量且つコンパクトでありながら、端末機の画面を確実に保護することができるなどといった当初の目的を達成した。
【００１９】
以下、本考案の実施例を説明する。本考端末機用ケースは、スマートデバイスとも称されるスマートフォンやタブレット等の携帯用の端末機を収納するケースである。本考案端末機用ケースは、ケース本体１０と蓋体２０とで構成する。
【００２０】
ケース本体１０は、端末機Ｐを収納する部位で、端末機Ｐの画面Ｐ１が表出する開口部１１を備えている（図１参照）。図示のケース本体１０は、端末機Ｐの背面に当接する底面部１５と（図２参照）、端末機Ｐの側面に当接する側面部１４と、端末機Ｐの表面の周囲に当接する開口縁部１３とを備えたもので、この開口縁部１３が開口部１１を形成している（図１参照）。尚、これらの各部位の形状は、端末機Ｐの種類等に応じに任意に変更することができる。
【００２１】
そして、ケース本体１０の開口部１１周囲縁、すなわち開口縁部１３に板状の金属環体１２を配置している（図１参照）。このケース本体１０は、皮革材又は合成樹脂材にて形成されるもので、金属環体１２は、ケース本体１０の開口縁部１３を形成する材質の内部に埋設されている。また、金属環体１２を表面に露出するように配置することもできる。
【００２２】
蓋体２０は、ケース本体１０から延長されて端末機Ｐの画面Ｐ１上に開閉自在に重ねる板状の部位である。この蓋体２０もケース本体１０と同様に皮革材又は合成樹脂材にて形成されるもので、図示の蓋体２０は、ケース本体１０の左側縁からケース本体１０と一体に形成した矩形状の蓋体２０を示している。このケース本体１０は、左右側縁のいずれか一方又はケース本体１０の上下側縁のいずれか一方から延長することができる。また、蓋体２０の形状も端末機Ｐの種類に応じて任意に変更することも可能である。
【００２３】
そして、ケース本体１０の金属環体１２上に重なる蓋体２０に、磁石２１を配置している。この磁石２１は、蓋体２０が施蓋状態を維持するように磁着するもので、蓋体２０を形成する材質の内部に埋設されている。
【００２４】
図示の磁石２１は、蓋体２０の長手両端部に一対埋設しているが、この磁石２１は、蓋体２０の周囲縁に一箇所又は複数個所配置することができる。また、磁石２１は、蓋体２０を形成する材質の表面に露出するように配置することも可能である。
【００２５】
更に、図示の蓋体２０の裏面には、乗車カードや電子マネー用のカード（図示せず）を収納する収納部２２を設けている（図１参照）。
【００２６】
尚、本考案の各構成は図示例に限られるものではなく、本考案の要旨を変更しない範囲での設計変更は自由である。
【符号の説明】
【００２７】
Ｐ  端末機
Ｐ１  画面
１０  ケース本体
１１  開口部
１２  金属環体
１３  開口縁部
１４  側面部
１５  底面部
２０  蓋体
２１  磁石
２２  収納部
【図１】
0003186374.tif 000003
【図２】
0003186374.tif 000004
【図３】
0003186374.tif 000005